(57)【要約】【課題】部品点数が削減されるとともに、個々の放電ランプをそれぞれ間引きや個別的に点消灯可能な放電ランプ点灯装置および照明器具を提供する。【解決手段】放電ランプ点灯装置１は、第１のスイッチ素子ＦＥＴ２と、第１のスイッチ素子ＦＥＴ２に接続される複数の第２のスイッチ素子ＦＥＴ３，ＦＥＴ４と、第２のスイッチ素子ＦＥＴ３，ＦＥＴ４の両端間に接続される負荷回路５，６と、第１および第２のスイッチ素子ＦＥＴ２、ＦＥＴ３，ＦＥＴ４の間に接続された複数の遮断回路Ｄ２，Ｄ４と、第１のスイッチ素子ＦＥＴ２および遮断回路Ｄ２，Ｄ４を含む直列回路に並列的に接続された放電回路Ｄ４，Ｄ５とを有するインバータ回路４を具備している。【選択図】図１
2006185604.tif 000002
【特許請求の範囲】
【請求項１】
直流電圧を出力する直流電圧源と；
第１のスイッチ素子と、第１のスイッチ素子に接続される複数の第２のスイッチ素子と、第２のスイッチ素子の両端間に接続される負荷回路と、第１および第２のスイッチ素子の間に接続された複数の遮断回路と、第１のスイッチ素子および遮断回路を含む直列回路に並列的に接続された放電回路とを有し、直列的に接続された第１および第２のスイッチ素子が直流電圧源の出力間に接続されて交互にオンオフ動作することにより高周波電圧を出力するインバータ回路と；
第１および第２のスイッチ素子のオンオフ周波数を制御するインバータ回路用制御手段と；を具備し、
前記遮断回路は、第１のスイッチ素子のオン時に直流電圧源から供給される電流を負荷回路に流し、第１のスイッチ素子のオフ時に負荷回路の回生電流が他の負荷回路側に流れないように構成され、前記放電回路は、第２のスイッチ素子のオフ時に負荷回路の回生電流を放流させるように構成されていることを特徴とする放電ランプ点灯装置。
【請求項２】
外部信号に応じて第２のスイッチ素子のオンオフ動作を個別に停止することのできるように構成した負荷回路用制御手段と；
を具備していることを特徴とする請求項１記載の放電ランプ点灯装置。
【請求項３】
負荷回路での放電ランプの接続状態を検出するランプ接続検出手段と；を具備し、
負荷回路用制御手段は、ランプ接続検出手段が負荷回路での放電ランプの非接続を検出したときの信号に応じて、当該負荷回路が接続されている第２のスイッチ素子のオンオフ動作を停止させるようにしたことを特徴とする請求項２記載の放電ランプ点灯装置。
【請求項４】
外部信号に応じて前記直流電圧源の出力を変化させるように制御する直流電圧源用制御手段と；を具備し、
前記外部信号に応じて直流電圧源の前記出力が変化することにより負荷回路の放電ランプの光出力が変化することを特徴とする請求項１ないし３いずれか一記載の放電ランプ点灯装置。
【請求項５】
共振用コンデンサの容量を増減させる容量増減回路と；を具備し、
インバータ回路用制御手段は、外部信号に応じて容量増減回路に対して共振用コンデンサの容量を増減させるように制御し、当該共振用コンデンサの容量の増減により負荷回路の放電ランプの光出力が変化することを特徴とする請求項１ないし４いずれか一記載の放電ランプ点灯装置。
【請求項６】
請求項１ないし５いずれか一記載の放電ランプ点灯装置と；
この放電ランプ点灯装置を配設している照明器具本体と；
を具備していることを特徴とする照明器具。
【請求項７】
複数の負荷回路のうちの少なくとも２つの負荷回路は、放電ランプの色温度が互いに異なっていることを特徴とする請求項６記載の照明器具。
【発明の詳細な説明】
【技術分野】
【０００１】
本発明は、複数の放電ランプを点灯させる放電ランプ点灯装置および照明器具に関する。
【背景技術】
【０００２】
この種の放電ランプ点灯装置は、個々の点灯回路にそれぞれ放電ランプを接続したものが知られている（例えば、特許文献１参照。）この従来技術の放電ランプ装置は、放電ランプの明るさを略一定となるように制御するものであるが、制御部により個々の点灯回路が個別に制御されるので、各点灯回路に接続されている放電ランプを個別に点消灯することができる。
【０００３】
また、インバータ回路の出力間に複数の放電ランプを含む負荷回路が並列的に接続されたものが提案されている（例えば、特許文献２参照。）。この従来技術の放電ランプ点灯装置は、インバータ回路の発振周波数を変化させてランプ電流を変化させることにより、複数の放電ランプが調光点灯される。
【０００４】
また、インバータ回路の各スイッチング手段に放電ランプを含む負荷回路がそれぞれ並列的に接続されたものが提案されている（例えば、特許文献３参照。）。この従来技術の放電ランプ点灯装置は、一方の負荷回路の放電ランプを間引き可能に構成している。
【特許文献１】特開平１１−１９１４９５号公報（第３頁、第１図）
【特許文献２】特開平１０−７９２９９号公報（第４頁、第１図）
【特許文献３】特開２０００−１０２２６３号公報（第６頁、第１図）
【発明の開示】
【発明が解決しようとする課題】
【０００５】
特許文献１の放電ランプ点灯装置は、個々の点灯回路が個別に放電ランプを制御するので、部品点数が多くなって小形化しにくいとともにコスト高になるという欠点を有する。
【０００６】
また、特許文献２の放電ランプ点灯装置は、１つのインバータ回路に複数の放電ランプが取付けられているが、放電ランプの取外しと同時に共振回路が遮断されるために間引きは可能であるが、個別に点灯させることはできない。
【０００７】
また、特許文献３の放電ランプ点灯装置の構成では、共振回路が独立しており、放電ランプを取外したときに高電圧が出力され、構成部品にストレスを与え、使用者に対して危険でもある。
【０００８】
本発明は、部品点数が削減されるとともに、個々の放電ランプをそれぞれ間引きや個別的に点消灯可能な放電ランプ点灯装置および照明器具を提供することを目的とする。
【課題を解決するための手段】
【０００９】
請求項１に記載の放電ランプ点灯装置の発明は、直流電圧を出力する直流電圧源と；第１のスイッチ素子と、第１のスイッチ素子に接続される複数の第２のスイッチ素子と、第２のスイッチ素子の両端間に接続される負荷回路と、第１および第２のスイッチ素子の間に接続された複数の遮断回路と、第１のスイッチ素子および遮断回路を含む直列回路に並列的に接続された放電回路とを有し、直列的に接続された第１および第２のスイッチ素子が直流電圧源の出力間に接続されて交互にオンオフ動作することにより高周波電圧を出力するインバータ回路と；第１および第２のスイッチ素子のオンオフ周波数を制御するインバータ回路用制御手段と；を具備し、前記遮断回路は、第１のスイッチ素子のオン時に直流電圧源から供給される電流を負荷回路に流し、第１のスイッチ素子のオフ時に負荷回路の回生電流が他の負荷回路側に流れないように構成され、前記放電回路は、第２のスイッチ素子のオフ時に負荷回路の回生電流を放流させるように構成されていることを特徴とする。
【００１０】
本発明および以下の各発明において、特に言及しない限り、各構成は以下による。
【００１１】
インバータ回路は、第１のスイッチ素子が共用化され、複数並列接続された第２のスイッチ素子の両端間にそれぞれ出力が形成される。すなわち、第２のスイッチ素子の数量分、インバータ回路の出力が形成される。
【００１２】
第２のスイッチ素子の両端間に、複数の負荷回路を接続することができる。
【００１３】
遮断回路は、当該遮断回路が接続された第２のスイッチ素子の両端間に接続されている負荷回路の回生電流が第１のスイッチ素子側に流れないようにしている。当該回生電流は、放電回路に流れて、直流電圧源、インバータ回路および負荷回路で形成される閉回路内に回生させるようにしている。すなわち、遮断回路は、インバータ回路の出力を個別に形成させている。
【００１４】
インバータ回路用制御手段は、例えば負荷回路の放電ランプを全光点灯させるように第１および第２のスイッチ素子のオンオフ周波数を一定に制御してもよく、当該オンオフ周波数を変化させて調光点灯させるようにしてもよい。
【００１５】
本発明によれば、遮断回路は、負荷回路の回生電流が他の負荷回路側に流れないようにし、放電回路は、負荷回路の回生電流を放流させるので、第１のスイッチ素子に直列的に接続される第２のスイッチ素子の数量に応じて、多灯用の放電ランプ点灯装置が構成される。そして、インバータ回路は、第１のスイッチ素子が共用されるので、負荷回路が接続される第２のスイッチ素子に対する第１のスイッチ素子の数量が削減される。
【００１６】
請求項２に記載の放電ランプ点灯装置の発明は、請求項１記載の放電ランプ点灯装置において、外部信号に応じて第２のスイッチ素子のオンオフ動作を個別に停止することのできるように構成した負荷回路用制御手段と；を具備していることを特徴とする。
【００１７】
第２のスイッチ素子のオンオフ動作が停止されると、負荷回路に共振電流が流れなくなり、当該第２のスイッチ素子の両端間に高周波電圧が出力されなくなる。また、第２のスイッチ素子にはそれぞれ遮断回路が接続されているので、他の第２のスイッチ素子に接続されている負荷回路の回生電流（共振電流）がオンオフ動作の停止された第２のスイッチ素子に接続されている負荷回路に流れることがない。
【００１８】
外部信号の入力は、有線または無線を問わない。
【００１９】
本発明によれば、負荷回路用制御手段が外部信号に応じて第２のスイッチ素子のオンオフ動作を停止すると、当該第２のスイッチ素子の両端間に高周波電圧が出力されなくなり、当該第２のスイッチ素子の両端間に接続されている負荷回路の放電ランプは消灯する。そして、負荷回路用制御手段は第２のスイッチ素子のオンオフ動作を個別に停止することのできるように構成されているので、外部信号により全ての放電ランプまたは所望の放電ランプが消灯される。
【００２０】
請求項３に記載の放電ランプ点灯装置の発明は、請求項２記載の放電ランプ点灯装置において、負荷回路での放電ランプの接続状態を検出するランプ接続検出手段と；を具備し、負荷回路用制御手段は、ランプ接続検出手段が負荷回路での放電ランプの非接続を検出したときの信号に応じて、当該負荷回路が接続されている第２のスイッチ素子のオンオフ動作を停止させるようにしたことを特徴とする。
【００２１】
「負荷回路での放電ランプの接続状態を検出する」とは、放電ランプが放電ランプ点灯装置に接続されているか否かを検出することを意味し、さらに言えば放電ランプが照明器具のランプソケットに正常に装着されているか否かを検出することを意味する。
【００２２】
本発明によれば、例えば放電ランプを負荷回路から取り外して間引きすると、ランプ接続検出手段により負荷回路に放電ランプが接続されていないことが検出される。負荷回路用制御手段は、当該負荷回路が接続されている第２のスイッチ素子のオンオフ動作を停止させる。これにより、当該第２のスイッチ素子の両端間に高周波電圧が出力されなくなり、負荷回路の放電ランプが消灯する。
【００２３】
そして、負荷回路から放電ランプが取り外されたときに、負荷回路がインダクタ、共振用コンデンサ等で閉回路が形成されるものであっても、遮断回路により遮断され、他の負荷回路に影響を及ぼさない。
【００２４】
請求項４に記載の放電ランプ点灯装置の発明は、請求項１ないし３いずれか一記載の放電ランプ点灯装置において、外部信号に応じて前記直流電圧源の出力を変化させるように制御する直流電圧源用制御手段と；を具備し、前記外部信号に応じて直流電圧源の前記出力が変化することにより負荷回路の放電ランプの光出力が変化することを特徴とする。
【００２５】
本発明によれば、直流電圧源用制御手段に入力される外部信号に応じて直流電圧源の出力が変化されると、インバータ回路のそれぞれの第２のスイッチ素子の両端間の高周波電圧が変化し、それぞれの負荷回路に流れる共振電流が変化される。この共振電流の変化により、放電ランプの光出力が変化される。すなわち、放電ランプは、調光される。
【００２６】
請求項５に記載の放電ランプ点灯装置の発明は、請求項１ないし４いずれか一記載の放電ランプ点灯装置において、共振用コンデンサの容量を増減させる容量増減回路と；を具備し、インバータ回路用制御手段は、外部信号に応じて容量増減回路に対して共振用コンデンサの容量を増減させるように制御し、当該共振用コンデンサの容量の増減により負荷回路の放電ランプの光出力が変化することを特徴とする。
【００２７】
容量増減回路は、負荷回路毎に設けられ、全ての負荷回路に設けてもよく、一部の負荷回路に設けてもよい。
【００２８】
共振用コンデンサの容量が増加すると、共振用コンデンサに流れる電流が増加するので、共振用コンデンサに並列的に接続される放電ランプの放電電流が減少し光出力が減少する。逆に、共振用コンデンサの容量が減少すると、共振用コンデンサに流れる電流が減少し、放電ランプの放電電流が増加して光出力が増加する。すなわち、共振用コンデンサの増減に応じて、放電ランプは調光する。
【００２９】
本発明によれば、外部信号をインバータ回路用制御手段に入力すると、インバータ回路用制御手段による容量増減回路の制御により、負荷回路の共振用コンデンサの容量が増減され、負荷回路に流れる共振電流が増減して放電ランプの光出力が変化される。
【００３０】
請求項６に記載の照明器具の発明は、請求項１ないし５いずれか一記載の放電ランプ点灯装置と；この放電ランプ点灯装置を配設している照明器具本体と；を具備していることを特徴とする。
【００３１】
本発明によれば、請求項１ないし５いずれか一記載の放電ランプ点灯装置を具備するので、個々の放電ランプが個別点灯制御や間引き可能であり、あるいは、調光点灯可能である。
【００３２】
請求項７に記載の照明器具の発明は、請求項６記載の照明器具において、複数の負荷回路のうちの少なくとも２つの負荷回路は、放電ランプの色温度が互いに異なっていることを特徴とする。
【００３３】
本発明によれば、放電ランプの色温度が互いに異なっているので、色温度の異なる放電ランプを間引きまたは調光させることにより、照明器具から出射される照明光の色温度が変化される。
【発明の効果】
【００３４】
請求項１の発明によれば、第１のスイッチ素子に直列的に接続される第２のスイッチ素子の数量に応じて、多灯用の放電ランプ点灯装置を構成することができるとともに、負荷回路が接続される第２のスイッチ素子に対して第１のスイッチ素子が共用され、第１のスイッチ素子の数量が削減されるので、放電ランプ点灯装置を小形化することができ、安価にすることができる。
【００３５】
請求項２発明によれば、負荷回路用制御手段は、外部信号に応じて第２のスイッチ素子のオンオフ動作を個別に停止できるので、所望の放電ランプを消灯させることにより、全放電ランプに対する調光を行うことができるとともに、省電力を図ることができる。
【００３６】
請求項３の発明によれば、放電ランプの間引きなど、負荷回路に放電ランプが接続されていないと、当該負荷回路が接続されている第２のスイッチ素子のオンオフ動作が停止するので、例えばランプソケットなどの放電ランプの接続端子側に高電圧が出力されなくなり当該接続端子側での電撃を抑制することができるとともに、省電力を図ることができる。
【００３７】
請求項４の発明によれば、直流電圧源用制御手段は、外部信号に応じて直流電圧源回路の出力を変化させるので、外部信号を入力することにより、全ての放電ランプを同時に調光することができる。
【００３８】
請求項５の発明によれば、インバータ回路用制御手段は、外部信号に応じて容量増減回路に対して共振用コンデンサの容量を増減させるように制御するので、外部信号を入力することにより、放電ランプを個別に調光することができる。
【００３９】
請求項６の発明によれば、請求項１ないし５いずれか一記載の放電ランプ点灯装置を具備するので、外部信号により所望の放電ランプを消灯させることにより、または間引きすることにより、あるいは放電ランプを全体的または個別に調光させることによって省電力が図れる照明器具を提供することができる。
【００４０】
請求項７の発明によれば、色温度の異なる放電ランプを間引きまたは調光させて照明器具から出射される照明光の色温度を変化させることにより、雰囲気に応じた照明を演出することができる。
【発明を実施するための最良の形態】
【００４１】
以下、本発明の一実施の形態について、図面を参照して説明する。まず、本発明の第１の実施形態について説明する。
【００４２】
図１および図２は、本発明の第１の実施形態を示し、図１は放電ランプ点灯装置の回路図、図２は他の負荷回路の回路図である。
【００４３】
図１において、放電ランプ点灯装置１は、直流電圧発生回路２Ａおよびチョッパ回路２Ｂを有してなる直流電圧源３、インバータ回路４、負荷回路５，６、インバータ回路用制御手段としてのインバータ回路用制御回路７、負荷回路用制御手段を構成するＮ形バイポーラトランジスタＴｒ１，Ｔｒ２を有して構成されている。
【００４４】
直流電圧発生回路２Ａは、整流装置８およびフィルター用のコンデンサＣ１を有してなり、商用交流電源Ｖｓの交流電圧を直流電圧に変換し、直流電圧をコンデンサＣ１の両端間に出力する。コンデンサＣ１の負極側は、基板アースＥに接続されている。
【００４５】
チョッパ回路２Ｂは、コンデンサＣ１の両端間に接続されたインダクタＬ１および電界効果トランジスタＦＥＴ１の直列回路と、電界効果トランジスタＦＥＴ１の両端間に接続されたダイオードＤ１および平滑用コンデンサＣ２の直列回路を有して構成されている。そして、電界効果トランジスタＦＥＴ１のゲートは、直流電圧源用制御手段としてのチョッパ回路用制御回路９に接続されている。
【００４６】
チョッパ回路用制御回路９は、平滑用コンデンサＣ２の両端間に所定の電圧が発生するように電界効果トランジスタＦＥＴ１をオンオフ動作させる。これにより、チョッパ回路２Ｂは、直流電圧発生回路２Ａが出力した直流電圧を昇圧して、所定の電圧に変換する。
【００４７】
このように、直流電圧源３は、直流電圧発生回路２Ａ、チョッパ回路２Ｂおよび直流電圧源用制御手段としてのチョッパ回路用制御回路９を有して構成され、直流電圧を出力してインバータ回路４に入力する。
【００４８】
インバータ回路４は、第１のスイッチ素子としての電界効果トランジスタＦＥＴ２、第２のスイッチ素子としての電界効果トランジスタＦＥＴ３，ＦＥＴ４、遮断回路としてのダイオードＤ２，Ｄ４、放電回路としてのダイオードＤ３，Ｄ５および発振器１０を有して構成されている。
【００４９】
そして、チョッパ回路２Ｂの平滑用コンデンサＣ２の両端間に、電界効果トランジスタＦＥＴ２を介して複数並列的に接続されたダイオードＤ２および電界効果トランジスタＦＥＴ３の第１の直列回路と、ダイオードＤ４および電界効果トランジスタＦＥＴ４の第２の直列回路がそれぞれ接続されている。ダイオードＤ２およびダイオードＤ４のそれぞれのアノードは、電界効果トランジスタＦＥＴ２のソースに接続され、前記第１の直列回路および第２の直列回路が電界効果トランジスタＦＥＴ２に対して順方向となるように接続されている。こうして、ダイオードＤ２，Ｄ４は、電界効果トランジスタＦＥＴ２および電界効果トランジスタＦＥＴ３，ＦＥＴ４の間にそれぞれ接続されている。
【００５０】
そして、ダイオードＤ３は、電界効果トランジスタＦＥＴ２に対して逆方向となるように電界効果トランジスタＦＥＴ２およびダイオードＤ２間に接続され、ダイオードＤ５は、電界効果トランジスタＦＥＴ２に対して逆方向となるように電界効果トランジスタＦＥＴ２およびダイオードＤ４間に接続されている。すなわち、ダイオードＤ３，Ｄ５は、電界効果トランジスタＦＥＴ２とダイオードＤ２，Ｄ４のそれぞれの直列回路にそれぞれ並列的に接続されている。
【００５１】
後述するように、ダイオードＤ２，Ｄ４は、電界効果トランジスタＦＥＴ２のオン時にチョッパ回路２Ｂの平滑用コンデンサＣ２から供給される電流が流れ、電界効果トランジスタＦＥＴ２のオフ時にそれぞれの負荷回路５，６の回生電流が他の負荷回路５，６に流れないように阻止するものである。
【００５２】
また、ダイオードＤ３は、電界効果トランジスタＦＥＴ２および電界効果トランジスタＦＥＴ３のオフ時に負荷回路５の回生電流を放流させ、ダイオードＤ４は、電界効果トランジスタＦＥＴ２および電界効果トランジスタＦＥＴ４のオフ時に負荷回路６の回生電流を放流させるものである。
【００５３】
第１のスイッチ素子としての電界効果トランジスタＦＥＴ２のゲートおよびソースは、ゲート抵抗Ｒ１を介して発振器１０に接続されている。そして、電界効果トランジスタＦＥＴ２のソースおよび発振器１０の間に、電界効果トランジスタＦＥＴ２を駆動させる駆動電圧を発生する電源としてのコンデンサＣ３が接続されている。
【００５４】
また、第２のスイッチ素子としての電界効果トランジスタＦＥＴ３のゲートおよびソースは、ゲート抵抗Ｒ２およびバッファ１１の直列回路を介して発振器１０に接続されている。また、第２のスイッチ素子としての電界効果トランジスタＦＥＴ４のゲートおよびソースは、ゲート抵抗Ｒ３およびバッファ１２の直列回路を介して発振器１０に接続されている。ゲート抵抗Ｒ２およびバッファ１１の直列回路とゲート抵抗Ｒ３およびバッファ１２の直列回路は、互いに並列的に接続されて発振器１０に接続されている。バッファ１１およびバッファ１２は、電界効果トランジスタＦＥＴ３および電界効果トランジスタＦＥＴ４のそれぞれのゲートに供給される電流を増幅する。
【００５５】
そして、電界効果トランジスタＦＥＴ２，ＦＥＴ３，ＦＥＴ４のそれぞれのゲートおよびソース間には、それぞれサージに対する保護用の抵抗Ｒ４，Ｒ５，Ｒ６が接続されている。また、電界効果トランジスタＦＥＴ２，ＦＥＴ３，ＦＥＴ４は、それぞれのドレインおよびソース間にそれぞれ寄生ダイオードＤ６，Ｄ７，Ｄ８を具備している。
【００５６】
発振器１０は、インバータ回路用集積回路７から送出された制御信号に応じて第１のスイッチ素子としての電界効果トランジスタＦＥＴ２および第２のスイッチ素子としての電界効果トランジスタＦＥＴ３，ＦＥＴ４のそれぞれのゲート、ソース間に交互に駆動電圧を供給する。これにより、電界効果トランジスタＦＥＴ２および電界効果トランジスタＦＥＴ３，ＦＥＴ４が交互にオンオフ動作する。電界効果トランジスタＦＥＴ３および電界効果トランジスタＦＥＴ４は、同時にオンオフ動作する。このオンオフ動作により、チョッパ回路２Ｂの平滑用コンデンサＣ２の両端間の直流電圧は、高周波電圧に変換され、電界効果トランジスタＦＥＴ３および電界効果トランジスタＦＥＴ４の両端（ドレイン、ソース）間にそれぞれ出力される。
【００５７】
負荷回路５は、電界効果トランジスタＦＥＴ３のドレイン、ソース間に接続されたインダクタＬ２、直流カット用コンデンサＣ４および放電ランプとしての蛍光ランプ１３の直列回路と、蛍光ランプ１３のフィラメント電極１３ａ，１３ｂ間の非電源側に接続された共振用コンデンサＣ５を有して構成されている。
【００５８】
また、負荷回路６は、電界効果トランジスタＦＥＴ４のドレイン、ソース間に接続されたインダクタＬ３、直流カット用コンデンサＣ６および放電ランプとしての蛍光ランプ１４の直列回路と、蛍光ランプ１４のフィラメント電極１４ａ，１４ｂ間の非電源側に接続された共振用コンデンサＣ７を有して構成されている。
【００５９】
負荷回路５は、電界効果トランジスタＦＥＴ３のドレイン、ソース間に出力された高周波電圧により付勢されて共振電流が流れる。すなわち、電界効果トランジスタＦＥＴ２がオン、電界効果トランジスタＦＥＴ３がオフすると、チョッパ回路２Ｂの平滑用コンデンサＣ２の正極側から電界効果トランジスタＦＥＴ２、ダイオードＤ２、インダクタＬ２、直流カット用コンデンサＣ４、蛍光ランプ１３のフィラメント電極１３ａ、共振用コンデンサＣ５、蛍光ランプ１３のフィラメント電極１３ｂおよび平滑用コンデンサＣ２の負極側の経路で電流が流れる。このとき、インダクタＬ２に電磁エネルギーが蓄積されると共に、直流カット用コンデンサＣ４および共振用コンデンサＣ５に電荷が蓄積される。
【００６０】
そして、電界効果トランジスタＦＥＴ２がオフすると（電界効果トランジスタＦＥＴ３はオフしている。）、インダクタＬ２に蓄積された電磁エネルギーによる電流がインダクタＬ２、直流カット用コンデンサＣ４、フィラメント電極１３ａ、共振用コンデンサＣ５、フィラメント電極１３ｂ、電界効果トランジスタＦＥＴ３の寄生ダイオードＤ７およびインダクタＬ２の経路で流れ、直流カット用コンデンサＣ４および共振用コンデンサＣ５に電荷をさらに蓄積させる。
【００６１】
次に、電界効果トランジスタＦＥＴ３がオンすると（電界効果トランジスタＦＥＴ２はオフしている。）、直流カット用コンデンサＣ４および共振用コンデンサＣ５に蓄積された電荷による電流が直流カット用コンデンサＣ４、インダクタＬ２、電界効果トランジスタＦＥＴ３、フィラメント電極１３ｂ、共振用コンデンサＣ５およびフィラメント電極１３ａの閉回路内に流れる。
【００６２】
そして、電界効果トランジスタＦＥＴ３がオフすると（電界効果トランジスタＦＥＴ２はオフしている。）、直流カット用コンデンサＣ４および共振用コンデンサＣ５に蓄積された電荷による電流は、回生電流となって、直流カット用コンデンサＣ４、インダクタＬ２、ダイオードＤ３、平滑用コンデンサＣ２、フィラメント電極１３ｂ、共振用コンデンサＣ５およびフィラメント電極１３ａの経路で流れる。これにより、直流カット用コンデンサＣ４および共振用コンデンサＣ５は、それぞれ放電される。
【００６３】
そして、電界効果トランジスタＦＥＴ２がオン、電界効果トランジスタＦＥＴ３がオフして、以下、上述が繰り返される。この繰り返しにおいて、負荷回路５に流れる電流は、共振電流となって蛍光ランプ１３のフィラメント電極１３ａ，１３ｂを予熱する。そして、フィラメント電極１３ａ，１３ｂが充分に予熱された後、共振用コンデンサＣ５に蓄積された電荷による電圧が共振電圧となってフィラメント電極１３ａ，１３ｂ間に印加され、蛍光ランプ１３を点灯させる。そして、共振電流は、主として蛍光ランプ１３のフィラメント電極１３ａ，１３ｂ間の放電電流となり、一部が共振用コンデンサＣ５に流れる。
【００６４】
負荷回路６は、上述と同様に、電界効果トランジスタＦＥＴ４のドレイン、ソース間に出力された高周波電圧により付勢され、共振電流により蛍光ランプ１４のフィラメント電極１４ａ，１４ｂが予熱された後、フィラメント電極１４ａ，１４ｂ間に共振用コンデンサＣ７の両端電圧（共振電圧）が印加されて、蛍光ランプ１４が点灯する。そして、第２のダイオードとしてのダイオードＤ５は、負荷回路６の回生電流をチョッパ回路２Ｂの平滑用コンデンサＣ２の正極側に流して、直流カット用コンデンサＣ６および共振用コンデンサＣ７をそれぞれ放電させる。
【００６５】
上述したように、遮断回路としてのダイオードＤ２（ダイオードＤ４）は、第１のスイッチ素子としての電界効果トランジスタＦＥＴ２のオン時に直流電圧源３の平滑用コンデンサＣ２から供給される電流を負荷回路５（負荷回路６）に流し、電界効果トランジスタＦＥＴ２のオフ時に負荷回路５（負荷回路６）の回生電流が他の負荷回路６（負荷回路５）側に流れないようにしている。
【００６６】
また、放電回路としてのダイオードＤ３（ダイオードＤ５）は、第２のスイッチ素子としての電界効果トランジスタＦＥＴ３（電界効果トランジスタＦＥＴ４）のオフ時に負荷回路５（負荷回路６）の回生電流を直流電圧源３の平滑用コンデンサＣ２側に放流させている。これにより、電界効果トランジスタＦＥＴ２に直列的に接続され、かつ複数並列的に接続される電界効果トランジスタＦＥＴ３，４の両端間にインバータ回路４の出力が形成されるとともに、電界効果トランジスタＦＥＴ３，４の両端間にそれぞれ接続される負荷回路５，６は、互いに影響を及ぼさないものである。
【００６７】
インバータ回路用集積回路７は、例えばワイヤレス送信器から送信されるワイヤレス信号を受信する受光器１５に接続されている。そして、当該ワイヤレス信号が蛍光ランプ１３，１４の光出力を変化させる調光信号であると、当該調光信号に応じて、発振器１０に電界効果トランジスタＦＥＴ２および電界効果トランジスタＦＥＴ３，ＦＥＴ４のオンオフ周波数を制御する制御信号を送出するように構成されている。発振器１０は、当該制御信号に応じて、電界効果トランジスタＦＥＴ２および電界効果トランジスタＦＥＴ３，ＦＥＴ４のそれぞれのゲート、ソース間に交互に駆動電圧を出力する。
【００６８】
そして、電界効果トランジスタＦＥＴ３のゲート、ソース間に、バッファ１１を介して、コレクタがゲート側、エミッタがソース側となるようにして負荷回路用制御手段を構成するＮ形バイポーラトランジスタＴｒ１が接続されている。また、電界効果トランジスタＦＥＴ４のゲート、ソース間に、バッファ１３を介して、コレクタがゲート側、エミッタがソース側となるようにして負荷回路用制御手段を構成するＮ形バイポーラトランジスタＴｒ２が接続されている。
【００６９】
そして、Ｎ形バイポーラトランジスタＴｒ１およびＮ形バイポーラトランジスタＴｒ２のそれぞれのベースは、インバータ回路用制御回路７に接続されている。インバータ回路用制御回路７は、受光器１５が受信したワイヤレス信号が蛍光ランプ１３（蛍光ランプ１４）を消灯させる外部信号であると、Ｎ形バイポーラトランジスタＴｒ１（Ｎ形バイポーラトランジスタＴｒ２）のベースにベース電流を供給する。これにより、Ｎ形バイポーラトランジスタＴｒ１（Ｎ形バイポーラトランジスタＴｒ２）はオンする。
【００７０】
Ｎ形バイポーラトランジスタＴｒ１（Ｎ形バイポーラトランジスタＴｒ２）がオンすると、発振器１０から出力された駆動電圧は、基板アースＥ側に印加されるようになり、電界効果トランジスタＦＥＴ３（電界効果トランジスタＦＥＴ４）のゲートに印加されなくなる。この結果、電界効果トランジスタＦＥＴ３（電界効果トランジスタＦＥＴ４）は、オンオフ動作しなくなる。すなわち、Ｎ形バイポーラトランジスタＴｒ１（Ｎ形バイポーラトランジスタＴｒ２）がオンしている限り、電界効果トランジスタＦＥＴ３（電界効果トランジスタＦＥＴ４）は、オフ状態を維持する。
【００７１】
電界効果トランジスタＦＥＴ３（電界効果トランジスタＦＥＴ４）がオフ状態であると、当該両端間（ドレイン、ソース間）に高周波電圧が出力されなくなって負荷回路５（負荷回路６）に共振電流が流れなくなる。すなわち、電界効果トランジスタＦＥＴ３がオフ状態で、電界効果トランジスタＦＥＴ２がオンすると、チョッパ回路２Ｂの平滑用コンデンサＣ２の正極側から電界効果トランジスタＦＥＴ２、ダイオードＤ２、インダクタＬ２、直流カット用コンデンサＣ４、蛍光ランプ１３のフィラメント電極１３ａ、共振用コンデンサＣ５、蛍光ランプ１３のフィラメント電極１３ｂおよび平滑用コンデンサＣ２の負極側の経路で電流が流れる。このとき、インダクタＬ２に電磁エネルギーが蓄積されると共に、直流カット用コンデンサＣ４および共振用コンデンサＣ５に電荷が蓄積される。
【００７２】
そして、電界効果トランジスタＦＥＴ２がオフすると、インダクタＬ２に蓄積された電磁エネルギーによる電流が、電磁エネルギーが消費されるまでインダクタＬ２、直流カット用コンデンサＣ４、フィラメント電極１３ａ、共振用コンデンサＣ５、フィラメント電極１３ｂ、電界効果トランジスタＦＥＴ３の寄生ダイオードＤ７およびインダクタＬ２の経路で流れ、直流カット用コンデンサＣ４および共振用コンデンサＣ５に電荷をさらに蓄積させる。
【００７３】
ここで、電界効果トランジスタＦＥＴ３がオンすると、直流カット用コンデンサＣ４および共振用コンデンサＣ５が放電されるように電流が流れるが、電界効果トランジスタＦＥＴ３がオフ状態であるので、直流カット用コンデンサＣ４および共振用コンデンサＣ５は、それぞれ電荷が蓄積された状態を維持する。このとき、ダイオードＤ３のアノード、カソード間は、略同電位となっている。したがって、負荷回路５に共振電流が流れず、蛍光ランプ１３は点灯しない。そして、負荷回路６においても、上述と同様、Ｎ形バイポーラトランジスタＴｒ２がオンして電界効果トランジスタＦＥＴ４がオフ状態であると、共振電流が流れず、蛍光ランプ１４は点灯しない。
【００７４】
上述したように、インバータ回路用制御回路７は、受光器１５から蛍光ランプ１３，１４をそれぞれ消灯させる外部信号が入力され、当該外部信号に応じてＮ形バイポーラトランジスタＴｒ１，Ｔｒ２をオンさせて電界効果トランジスタＦＥＴ３，ＦＥＴ４のオンオフ動作を個別に停止することができる。これにより、蛍光ランプ１３，１４が個別に消灯される。インバータ回路用制御回路７およびＮ形バイポーラトランジスタＴｒ１，Ｔｒ２は、負荷回路用制御手段を構成している。
【００７５】
次に、本発明の第１の実施形態の作用について説明する。
【００７６】
受光器１５が蛍光ランプ１３，１４の光出力を変化させる調光信号を受信すると、インバータ回路用集積回路７は、当該調光信号に応じて、発振器１０に電界効果トランジスタＦＥＴ２および電界効果トランジスタＦＥＴ３，ＦＥＴ４のオンオフ周波数を制御する制御信号を送出する。
【００７７】
発振器１０は、当該制御信号に応じて、電界効果トランジスタＦＥＴ２および電界効果トランジスタＦＥＴ３，ＦＥＴ４のそれぞれのゲート、ソース間に交互に駆動電圧を出力する。電界効果トランジスタＦＥＴ２および電界効果トランジスタＦＥＴ３，ＦＥＴ４は、オンオフ周波数が変化され、電界効果トランジスタＦＥＴ３および電界効果トランジスタＦＥＴ４の両端間に出力する高周波電圧が変化する。これにより、負荷回路５および負荷回路６に流れる共振電流が変化し、蛍光ランプ１３および蛍光ランプ１４のそれぞれの光出力が変化する。すなわち、蛍光ランプ１３および蛍光ランプ１４は、前記調光信号に応じて、同時に、同一の調光率で調光点灯される。
【００７８】
そして、蛍光ランプ１３を消灯させるには、例えばワイヤレス送信器から受光器１５に蛍光ランプ１３を消灯させる外部信号（ワイヤレス信号）を送信する。当該外部信号は、受光器１５からインバータ回路用制御回路７に入力される。インバータ回路用制御回路７は、Ｎ形バイポーラトランジスタＴｒ１をオンさせる。これにより、電界効果トランジスタＦＥＴ３のゲート、ソース間に発振器１０からの駆動電圧が供給されなくなり、電界効果トランジスタＦＥＴ３のオンオフ動作が停止する。そして、負荷回路５に共振電流が流れなくなり、蛍光ランプ１３は消灯する。
【００７９】
また、蛍光ランプ１４を消灯させるには、蛍光ランプ１４を消灯させる外部信号をインバータ回路用制御回路７に入力させる。インバータ回路用制御回路７は、Ｎ形バイポーラトランジスタＴｒ２をオンさせる。これにより、電界効果トランジスタＦＥＴ４のゲート、ソース間に発振器１０からの駆動電圧が供給されなくなり、電界効果トランジスタＦＥＴ４のオンオフ動作が停止する。そして、負荷回路６に共振電流が流れなくなり、蛍光ランプ１４は消灯する。このように、蛍光ランプ１３および蛍光ランプ１４は、個別に消灯される。
【００８０】
放電ランプ点灯装置１において、蛍光ランプ１３および蛍光ランプ１４を個別に消灯することにより、あるいは調光させることにより、省電力が図られる。
【００８１】
そして、インバータ回路４の出力がそれぞれ形成される第２のスイッチ素子としての電界効果トランジスタＦＥＴ３，ＦＥＴ４に対して第１のスイッチ素子としての電界効果トランジスタＦＥＴ２が共用化されているので、電界効果トランジスタＦＥＴ３，ＦＥＴ４に対する電界効果トランジスタＦＥＴ２の数量が削減されている。したがって、回路基板に削減される電界効果トランジスタＦＥＴ２および電界効果トランジスタＦＥＴ２の熱を放熱させる放熱部品などが実装されないので、回路基板が小形化され、放電ランプ点灯装置１が小形化されるとともに安価に製造される。
【００８２】
なお、放電ランプ点灯装置１は、蛍光ランプ１３および蛍光ランプ１４の２灯を示している。ここで、遮断回路としてのダイオードＤ２および第２のスイッチ素子としての電界効果トランジスタＦＥＴ３の直列回路と並列的に、順次、遮断回路および第２のスイッチ素子の直列回路を接続すると共に、第２のスイッチ素子の両端間に負荷回路を形成することにより、さらに多灯の放電ランプ点灯装置が構成される。
【００８３】
さらに、個々の負荷回路は、複数の放電ランプを備えていてもよく、第２のスイッチ素子の両端間に複数の負荷回路が接続されていてもよい。図２はその一例を示したものである。図２（ａ）に示す負荷回路５Ａは、第２のスイッチ素子としての電界効果トランジスタＦＥＴ３の両端間にそれぞれ蛍光ランプ１３Ａ，１３Ｂを具備する個別の負荷回路が並列的に接続されて構成されている。また、図２（ｂ）に示す負荷回路５Ｂは、バランサＬ２Ｃを介して２本の放電ランプ１３Ａ，１３Ｂが接続されて構成されている。
【００８４】
また、放電ランプ点灯装置１において、遮断回路は、ダイオードＤ２，Ｄ４で構成したが、これに限らず、電界効果トランジスタＦＥＴ２および電界効果トランジスタＦＥＴ３，ＦＥＴ４の間にそれぞれ接続され、電界効果トランジスタＦＥＴ２のオン時に直流電圧源３から供給される電流を負荷回路５，６にそれぞれ流し、電界効果トランジスタＦＥＴ２のオフ時に負荷回路５，６の回生電流が他の負荷回路５，６側に流れないように構成されていればよい。また、放電回路は、電界効果トランジスタＦＥＴ２および前記遮断回路を直列回路に並列的に接続され、電界効果トランジスタＦＥＴ３，４のオフ時にそれぞれ負荷回路５，６の回生電流を放流させるように構成されていればよい。
【００８５】
次に、本発明の第２の実施形態について述べる。
【００８６】
図３は、本発明の第２の実施形態を示す放電ランプ点灯装置の回路図である。なお、図１と同一部分には同一符号を付して説明は省略する。
【００８７】
図３に示す放電ランプ点灯装置１６は、図１に示す放電ランプ点灯装置１において、発振器１０および基板アースＥ間に定電圧源としてのコンデンサＣ８が接続され、バッファ１１およびバッファ１２に代えて、当該コンデンサＣ８に並列的に駆動回路１７および駆動回路１８がそれぞれ接続されている。また、それぞれの負荷回路５，６での蛍光ランプ１３，１４の接続状態を検出するランプ接続検出手段としてのランプ接続検出回路１９，２０が設けられている。
【００８８】
駆動回路１７は、Ｎ形バイポーラトランジスタＴｒ３、Ｐ形バイポーラトランジスタＴｒ４および抵抗Ｒ７を有して構成されている。そして、Ｎ形バイポーラトランジスタＴｒ３およびＰ形バイポーラトランジスタＴｒ４の直列回路がコンデンサＣ８の両端間に接続されている。そして、Ｎ形バイポーラトランジスタＴｒ３およびＰ形バイポーラトランジスタＴｒ４のそれぞれのベースが抵抗Ｒ２を介して発振器１０に接続され、Ｎ形バイポーラトランジスタＴｒ３のエミッタおよびＰ形バイポーラトランジスタＴｒ４のエミッタが共に抵抗Ｒ７を介して第２のスイッチ素子としての電界効果トランジスタＦＥＴ３のゲートに接続されている。
【００８９】
駆動回路１７は、発振器１０から駆動電圧としてのハイ信号が出力されると、このハイ信号が抵抗Ｒ２を介してＮ形バイポーラトランジスタＴｒ３およびＰ形バイポーラトランジスタＴｒ４のそれぞれのベースに印加される。すると、Ｎ形バイポーラトランジスタＴｒ３はオンし、Ｐ形バイポーラトランジスタＴｒ４はオフする。Ｎ形バイポーラトランジスタＴｒ３がオンすることにより、前記ハイ信号は、抵抗Ｒ７を介して電界効果トランジスタＦＥＴ３のゲートに印加される。これにより、電界効果トランジスタＦＥＴ３がオンする。
【００９０】
そして、発振器１０から駆動電圧としてのロウ信号が出力されると、すなわち駆動電圧が出力されないと、Ｎ形バイポーラトランジスタＴｒ３はオフし、Ｐ形バイポーラトランジスタＴｒ４はオンする。Ｎ形バイポーラトランジスタＴｒ４がオンすることにより、電界効果トランジスタＦＥＴ３のゲートは、抵抗Ｒ７およびＮ形バイポーラトランジスタＴｒ４を介して基板アースＥに接続される。これにより、電界効果トランジスタＦＥＴ３のゲートに蓄積された電荷が放電され、電界効果トランジスタＦＥＴ３はオフする。
【００９１】
このように、駆動回路１７は、発振器１０から出力されるハイ信号およびロウ信号からなる駆動信号に応じて、Ｎ形バイポーラトランジスタＴｒ３およびＰ形バイポーラトランジスタＴｒ４が交互にオンオフすることにより、電界効果トランジスタＦＥＴ３をオンオフ動作させる。そして、Ｎ形バイポーラトランジスタＴｒ３およびＰ形バイポーラトランジスタＴｒ４のそれぞれのベースは、負荷回路用制御手段としてのＮ形バイポーラトランジスタＴｒ１のコレクタに接続されている。Ｎ形バイポーラトランジスタＴｒ１のエミッタは、基板アースＥに接続され、ベースは、ランプ接続検出回路１９に接続されている。
【００９２】
駆動回路１８は、Ｎ形バイポーラトランジスタＴｒ５、Ｐ形バイポーラトランジスタＴｒ６および抵抗Ｒ８を有して、駆動回路１７と同様に形成されている。すなわち、駆動回路１８は、発振器１０から出力されるハイ信号およびロウ信号からなる駆動信号に応じて、Ｎ形バイポーラトランジスタＴｒ５およびＰ形バイポーラトランジスタＴｒ６が交互にオンオフすることにより、電界効果トランジスタＦＥＴ４をオンオフ動作させるように構成されている。なお、駆動回路１８は、駆動回路１７と同時に前記駆動信号が入力される。すなわち、第２のスイッチ素子としての電界効果トランジスタＦＥＴ３および電界効果トランジスタＦＥＴ４は同時にオンオフ動作される。
【００９３】
そして、駆動回路１８のＮ形バイポーラトランジスタＴｒ５およびＰ形バイポーラトランジスタＴｒ６のそれぞれのベースは、負荷回路用制御手段としてのＮ形バイポーラトランジスタＴｒ２のコレクタに接続されている。Ｎ形バイポーラトランジスタＴｒ２のエミッタは、基板アースＥに接続され、ベースは、ランプ接続検出回路２０に接続されている。
【００９４】
ランプ接続検出回路１９は、チョッパ回路２Ｂの平滑用コンデンサＣ２の両端間に接続された抵抗Ｒ９、抵抗Ｒ１０および抵抗Ｒ１１の直列回路と、抵抗Ｒ１１に並列接続された平滑用のコンデンサＣ９を有して構成されている。ここで、平滑用コンデンサＣ２の負極側は、基板アースＥに接続されている。
【００９５】
そして、抵抗Ｒ９および抵抗Ｒ１０の接続点ａ１が蛍光ランプ１３のフィラメント電極１３ｂの非電源側に接続されるようにしており、抵抗Ｒ１１の両端間がＮ形バイポーラトランジスタＴｒ１のベース、エミッタ間に接続されている。
【００９６】
蛍光ランプ１３が負荷回路５に接続されていると、フィラメント電極１３ａ，１３ｂの両端は、抵抗Ｒ１０および抵抗Ｒ１１の直列回路に接続されている。フィラメント電極１３ａ，１３ｂの両端間電圧は、通常、２〜３Ｖと非常に小さいので、抵抗Ｒ１１の両端電圧がＮ形バイポーラトランジスタＴｒ１のベース、エミッタ間に印加されても、Ｎ形バイポーラトランジスタＴｒ１はオンしない。
【００９７】
そして、蛍光ランプ１３が負荷回路５に接続されていないと、平滑用コンデンサＣ２の両端が抵抗Ｒ９、抵抗Ｒ１０および抵抗Ｒ１１の直列回路の両端間に接続され、平滑用コンデンサＣ２の両端間電圧が抵抗Ｒ９、抵抗Ｒ１０および抵抗Ｒ１１により分圧される。平滑用コンデンサＣ２の両端間電圧は、例えば４５０Ｖと非常に大きいので、抵抗Ｒ１１の両端間電圧がＮ形バイポーラトランジスタＴｒ１のベース、エミッタ間に印加されると、Ｎ形バイポーラトランジスタＴｒ１はオンする。
【００９８】
Ｎ形バイポーラトランジスタＴｒ１がオンすると、駆動回路１７のＮ形バイポーラトランジスタＴｒ３およびＰ形バイポーラトランジスタＴｒ４のそれぞれのベースは、基板アースＥに接続されるようになり、発振器１０から出力された駆動信号のハイ信号が当該ベースに印加されなくなる。この結果、Ｎ形バイポーラトランジスタＴｒ３がオンしなくなり、電界効果トランジスタＦＥＴ３のゲートにハイ信号が印加されなくなって、電界効果トランジスタＦＥＴ３がオンオフ動作しなくなる。そして、電界効果トランジスタＦＥＴ３の両端間に高周波電圧が出力されなくなる。
【００９９】
また、ランプ接続検出回路２０は、平滑用コンデンサＣ２の両端間に接続された抵抗Ｒ１２、抵抗Ｒ１３および抵抗Ｒ１４の直列回路と、抵抗Ｒ１４に並列接続された平滑用のコンデンサＣ１０を有して構成されている。そして、抵抗Ｒ１２および抵抗Ｒ１３の接続点ａ２が蛍光ランプ１４のフィラメント電極１４ｂの非電源側に接続されるようにしており、抵抗Ｒ１４の両端間がＮ形バイポーラトランジスタＴｒ２のベース、エミッタ間に接続されている。
【０１００】
蛍光ランプ１４が負荷回路６に接続されていると、フィラメント電極１４ａ，１４ｂの両端は、抵抗Ｒ１３および抵抗Ｒ１４の直列回路に接続される。フィラメント電極１４ａ，１４ｂの両端間電圧は、通常、２〜３Ｖと非常に小さいので、抵抗Ｒ１４の両端電圧がＮ形バイポーラトランジスタＴｒ２のベース、エミッタ間に印加されても、Ｎ形バイポーラトランジスタＴｒ２はオンしない。
【０１０１】
そして、蛍光ランプ１４が負荷回路６に接続されていないと、平滑用コンデンサＣ２の両端が抵抗Ｒ１２、抵抗Ｒ１３および抵抗Ｒ１４の直列回路の両端間に接続され、平滑用コンデンサＣ２の両端間電圧が抵抗Ｒ１２、抵抗Ｒ１３および抵抗Ｒ１４により分圧される。平滑用コンデンサＣ２の両端間電圧は、例えば２４０Ｖと非常に大きいので、抵抗Ｒ１４の両端間電圧がＮ形バイポーラトランジスタＴｒ２のベース、エミッタ間に印加されると、Ｎ形バイポーラトランジスタＴｒ２はオンする。
【０１０２】
Ｎ形バイポーラトランジスタＴｒ２がオンすると、駆動回路１８のＮ形バイポーラトランジスタＴｒ５およびＰ形バイポーラトランジスタＴｒ６のそれぞれのベースは、基板アースＥに接続されるようになり、発振器１０から出力された駆動信号のハイ信号が当該ベースに印加されなくなる。この結果、Ｎ形バイポーラトランジスタＴｒ５がオンしなくなり、電界効果トランジスタＦＥＴ４のゲートにハイ信号が印加されなくなって、電界効果トランジスタＦＥＴ４がオンオフ動作しなくなる。そして、電界効果トランジスタＦＥＴ４の両端間に高周波電圧が出力されなくなる。
【０１０３】
このように、ランプ接続検出回路１９が負荷回路５での蛍光ランプ１３の非接続を検出したときの信号（抵抗Ｒ１１の両端電圧）に応じて、Ｎ形バイポーラトランジスタＴｒ１がオンすることにより、電界効果トランジスタＦＥＴ３のオンオフ動作が停止される。また、ランプ接続検出回路２０が負荷回路６での蛍光ランプ１４の非接続を検出したときの信号（抵抗Ｒ１４の両端電圧）に応じて、Ｎ形バイポーラトランジスタＴｒ２がオンすることにより、電界効果トランジスタＦＥＴ４のオンオフ動作が停止される。
【０１０４】
なお、負荷回路５（負荷回路６）で蛍光ランプ１３（蛍光ランプ１４）が接続されているとは、蛍光ランプ１３（蛍光ランプ１４）が照明器具のランプソケットに正常に装着されていると解してよい。また、負荷回路５（負荷回路６）で蛍光ランプ１３（蛍光ランプ１４）が接続されていないとは、蛍光ランプ１３（蛍光ランプ１４）が照明器具のランプソケットに正常に装着されていないか、ランプソケットから取り外されていると解してよい。
【０１０５】
また、インバータ回路用制御回路７は、受光器１５から蛍光ランプ１３，１４の光出力を変化させる調光信号が入力され、当該調光信号に応じて、発振器１０に電界効果トランジスタＦＥＴ２および電界効果トランジスタＦＥＴ３，ＦＥＴ４のオンオフ周波数を制御する制御信号を送出する。
【０１０６】
次に、本発明の第２の実施形態の作用について説明する。
【０１０７】
蛍光ランプ１３をランプソケットから取り外し、蛍光ランプ１３が負荷回路５に接続されなくなる（蛍光ランプ１３を間引きする）と、ランプ接続検出回路１９の抵抗Ｒ１１の両端間電圧が上昇して、Ｎ形バイポーラトランジスタＴｒ１をオンさせる。Ｎ形バイポーラトランジスタＴｒ１がオンすると、発振器１０から出力された駆動電圧は、基板アースＥ側に印加され、駆動回路１７に入力されなくなるので、電界効果トランジスタＦＥＴ３のオンオフ動作が停止する。
【０１０８】
また、蛍光ランプ１４をランプソケットから取り外し、蛍光ランプ１４が負荷回路６に接続されなくなる（蛍光ランプ１４を間引きする）と、ランプ接続検出回路２０の抵抗Ｒ１４の両端間電圧が上昇して、Ｎ形バイポーラトランジスタＴｒ２をオンさせる。Ｎ形バイポーラトランジスタＴｒ２がオンすると、発振器１０から出力された駆動電圧は、基板アースＥ側に印加され、駆動回路１８に入力されなくなるので、電界効果トランジスタＦＥＴ４のオンオフ動作が停止する。
【０１０９】
このように、蛍光ランプ１３または蛍光ランプ１４をランプソケットから取り外して間引きすると、電界効果トランジスタＦＥＴ３または電界効果トランジスタＦＥＴ４のオンオフ動作が停止するので、放電ランプ点灯装置１６の省電力化が図られる。
【０１１０】
そして、蛍光ランプ１３（蛍光ランプ１４）が間引きされると、負荷回路５（負荷回路６）は、開放されて閉回路を構成せず、共振電流が流れない。また、図２に示すように、複数の蛍光ランプ１３Ａ，１３Ｂを有して電界効果トランジスタＦＥＴ３に接続されている負荷回路５Ａ，５Ｂは、蛍光ランプ１３Ａ，１３Ｂの一方が間引きされても閉回路が形成されている。ここで、例え閉回路に共振電流が流れても、遮断回路としてのダイオードＤ２が他の負荷回路６に流れることを阻止する。すなわち、複数の放電ランプ１３Ａ，１３Ｂの一方が取外されても自身の負荷回路５Ａ，５Ｂおよび他の負荷回路６に影響を及ぼさないものである。
【０１１１】
次に、本発明の第３の実施形態について述べる。
【０１１２】
図４は、本発明の第３の実施形態を示す放電ランプ点灯装置の回路図である。なお、図１と同一部分には同一符号を付して説明は省略する。
【０１１３】
図４に示す放電ランプ点灯装置２１は、図１に示す放電ランプ点灯装置１において、インバータ回路４の第１のスイッチ素子としての電界効果トランジスタＦＥＴ２、第２のスイッチ素子としての電界効果トランジスタＦＥＴ３，ＦＥＴ４、遮断回路としてのダイオードＤ２，Ｄ４および放電回路としてのダイオードＤ３，Ｄ５を除く構成部品をインバータ回路用制御回路７とともにインバータ回路用集積回路２２に形成している。そして、インバータ回路２３は、インバータ回路用集積回路２２から出力された駆動電圧をレベルアップさせるレベルシフト２４が電界効果トランジスタＦＥＴ２のゲートに接続されている。
【０１１４】
放電ランプ点灯装置２１は、インバータ回路用集積回路２２を有することにより、構成部品を回路基板に実装するスペースが小さくなっており、これにより小形化されている。
【０１１５】
そして、インバータ回路用集積回路２２および直流電圧源用制御手段としてのチョッパ回路用制御回路９に受光器１５が接続されている。
【０１１６】
インバータ回路用集積回路２２は、例えばワイヤレス送信器から受光器１５に送信された蛍光ランプ１３（蛍光ランプ１４）を消灯させる外部信号が受光器１５から入力されると、電界効果トランジスタＦＥＴ２（電界効果トランジスタＦＥＴ３）のオンオフ動作を停止させて、蛍光ランプ１３（蛍光ランプ１４）を消灯させる。
【０１１７】
そして、チョッパ回路用制御回路９は、例えばワイヤレス送信器から受光器１５に送信された蛍光ランプ１３，１４の光出力を変化させる外部信号としての調光信号が受光器１５から入力される。そして、当該調光信号に応じて、チョッパ回路２Ｂの電界効果トランジスタＦＥＴ１のオンオフ周波数を変化させ、平滑用コンデンサＣ２の両端間に発生する電圧を変化させる。ここで、平滑用コンデンサＣ２の両端間に調光信号に応じた所定の電圧が発生するように、インダクタＬ１などの構成部品の特性や電界効果トランジスタＦＥＴ１のオンオフ周波数などが予め設定されている。すなわち、チョッパ回路２Ｂは、直流電圧発生回路２Ａが出力した直流電圧を所定の電圧に変換して出力する。
【０１１８】
平滑用コンデンサＣ２の両端間に発生する所定の電圧は、チョッパ回路２Ｂの出力電圧であって、インバータ回路２３の入力電圧である。したがって、当該所定の電圧が変化すると、インバータ回路２３の入力電圧が変化する。これにより、インバータ回路２３の電界効果トランジスタＦＥＴ３および電界効果トランジスタＦＥＴ４のそれぞれの両端間の高周波電圧が変化するようになり、負荷回路５および負荷回路６に流れる共振電流がそれぞれ変化するようになる。
【０１１９】
共振電流が変化すると、蛍光ランプ１３のフィラメント電極１３ａ，１３ｂ間の放電電流および蛍光ランプ１４のフィラメント電極１４ａ，１４ｂ間の放電電流が変化するので、蛍光ランプ１３および蛍光ランプ１４のそれぞれの光出力が変化する。こうして、蛍光ランプ１３および蛍光ランプ１４は、例えばワイヤレス送信器から送信される蛍光ランプ１３，１４の光出力を変化させる調光信号に応じて、同時に調光される。
【０１２０】
次に、本発明の第４の実施形態について述べる。
【０１２１】
図５は、本発明の第４の実施形態を示す放電ランプ点灯装置の回路図である。なお、図４と同一部分には同一符号を付して説明は省略する。
【０１２２】
図５に示す放電ランプ点灯装置２５は、図４に示す放電ランプ点灯装置２１において、負荷回路５の共振用コンデンサＣ５を共振用コンデンサＣ１１および共振用コンデンサＣ１２の直列回路に置き換えて負荷回路２６を形成し、負荷回路６の共振用コンデンサＣ７を共振用コンデンサＣ１３および共振用コンデンサＣ１４に置き換えて負荷回路２７が形成されている。そして、負荷回路２６の共振用コンデンサＣ１２に並列的に容量増減回路としての電界効果トランジスタＦＥＴ５が接続され、負荷回路２７の共振用コンデンサＣ１４に並列的に容量増減回路としての電界効果トランジスタＦＥＴ６が接続されている。そして、電界効果トランジスタＦＥＴ５および電界効果トランジスタＦＥＴ６のそれぞれのゲートは、それぞれインバータ回路用集積回路２２に接続されている。
【０１２３】
負荷回路２６において、電界効果トランジスタＦＥＴ５がオフされ共振用コンデンサＣ１２の両端間が開放されると、蛍光ランプ１３のフィラメント電極１３ａ，１３ｂ間に共振用コンデンサＣ１１および共振用コンデンサＣ１２が接続され、蛍光ランプ１３に並列的に接続される共振用コンデンサの容量が増加する。これにより、共振用コンデンサに流れる共振電流が増加し、蛍光ランプ１３は調光（段調光）される。また、負荷回路２７において、電界効果トランジスタＦＥＴ６がオフされ共振用コンデンサＣ１４の両端間が開放されると、上記同様、共振用コンデンサに流れる共振電流が増加し、蛍光ランプ１４は調光（段調光）される。
【０１２４】
そして、例えばワイヤレス送信器から受光器１５に蛍光ランプ１３または蛍光ランプ１４を段調光させる外部信号（ワイヤレス信号）を送信すると、当該外部信号は、受光器１５からインバータ回路用集積回路２２に入力される。インバータ回路用集積回路２２は、当該外部信号に応じて、電界効果トランジスタＦＥＴ５または電界効果トランジスタＦＥＴ６をオフさせて、蛍光ランプ１３または蛍光ランプ１４を個別に段調光させる。
【０１２５】
また、蛍光ランプ１３または蛍光ランプ１４は、図３に示す放電ランプ点灯装置２１において説明したように、蛍光ランプ１３，１４を調光させる外部信号に応じたチョッパ回路用制御回路９によるチョッパ回路２Ｂの制御により、同時に調光される。また、蛍光ランプ１３，１４を消灯させる外部信号に応じて、インバータ回路用集積回路２２の制御により、個別に消灯される。このように、蛍光ランプ１３または蛍光ランプ１４は、それぞれ所望に調光、段調光および消灯させることができる。
【０１２６】
次に、本発明の第５の実施形態について述べる。
【０１２７】
図６は、本発明の第５の実施形態を示す照明器具の外観図である。なお、図１と同一部分には同一符号を付して説明は省略する。
【０１２８】
図６に示す照明器具２８は、天井などの造営物に設置される直付け照明器具であり、照明器具本体２９、環外径の異なる環形蛍光ランプ３０，３１，３２、グローブ３３、放電ランプ用点灯装置３４および受光器１５を有して構成されている。
【０１２９】
環形蛍光ランプ３０，３１，３２は、同心円状にして照明器具本体２９のランプソケット３５，３６，３７にそれぞれ取り付けられている。そして、環形蛍光ランプ３０，３１，３２は、互いに色温度が異なる昼白色、昼光色および電球色の色光を放射する。
【０１３０】
そして、照明器具本体２９内に、放電ランプ用点灯装置３４が収容されて環形蛍光ランプ３０，３１，３２に接続されている。放電ランプ用点灯装置３４は、図１に示す放電ランプ点灯装置１において、蛍光ランプ１３，１４が除去されるなどして構成されている。また、照明器具本体２９には、略中央部にワイヤレス送信器（図示しない。）から送信されるワイヤレス信号（外部信号）を受信する受光器１５が配設されている。照明器具本体１５は、天井などの造営物にネジなどによって固定され、前面は透光性のグローブ３３によって被われている。
【０１３１】
放電ランプ用点灯装置３４が給電されると、環形蛍光ランプ３０，３１，３２は点灯する。そして、環形蛍光ランプ３０，３１，３２から放射された色光は、混光され、グローブ３３を透過して照明器具２８から出射される。
【０１３２】
照明器具２８は、色温度が互いに異なる環形蛍光ランプ３０，３１，３２を個別に間引くことにより、または、調光させることにより、出射される照明光の色温度が変化される。したがって、雰囲気に応じた照明の演出が可能である。
【図面の簡単な説明】
【０１３３】
【図１】本発明の第１の実施形態を示す放電ランプ点灯装置の回路図。
【図２】同じく、他の負荷回路の回路図。
【図３】本発明の第２の実施形態を示す放電ランプ点灯装置の回路図。
【図４】本発明の第３の実施形態を示す放電ランプ点灯装置の回路図。
【図５】本発明の第４の実施形態を示す放電ランプ点灯装置の回路図。
【図６】本発明の第５の実施形態を示す照明器具の一部切り欠き正面図。
【符号の説明】
【０１３４】
ＦＥＴ５，ＦＥＴ６…容量増減回路としての電界効果トランジスタ
Ｔｒ１，Ｔｒ２…負荷回路用制御手段としてのＮ形バイポーラトランジスタ
１，１６，２１，２５…放電ランプ点灯装置
３…直流電圧源
４，２３…インバータ回路
５，６，２６，２７…負荷回路
７…インバータ回路用制御手段としてのインバータ回路用制御回路
９…直流電圧源用制御手段としてのチョッパ回路用制御回路
１９，２０…ランプ接続検出手段としてのランプ接続回路
２８…照明器具
２９…照明器具本体
【図１】
2006185604.tif 000003
【図２】
2006185604.tif 000004
【図３】
2006185604.tif 000005
【図４】
2006185604.tif 000006
【図５】
2006185604.tif 000007
【図６】
2006185604.tif 000008